【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
液滴を吐出する複数のノズルと、
前記ノズルに通じる複数の個別液室、前記個別液室に通じる複数の流体抵抗部、前記流体抵抗部に通じる液導入部を形成する流路板と、
前記個別液室に液体を供給する共通液室を形成する共通液室部材と、
前記流路板と前記共通液室部材との間に配置された壁面部材と、を備え、
前記複数の個別液室はノズル配列方向に沿って配列され、
ノズル配列方向に並ぶ２つの前記個別液室にそれぞれ液体を供給する第１共通液室及び第２共通液室と、
前記第１共通液室から液体を導入し、前記流体抵抗部に通じる第１液導入部と、
前記第２共通液室から液体を導入し、前記流体抵抗部に通じる第２液導入部と、有し、
前記第１共通液室と前記第２共通液室とは、ノズル配列方向と直交する方向で、並んで配置され、
前記第２共通液室は、前記第１共通液室よりも前記個別液室の列から離れた位置に設けられ、
前記第２液導入部は、前記流路板の厚み方向で、前記第１液導入部と同じ位置に形成された流路部分と、前記第１液導入部と異なる位置に形成された流路部分を有し、
前記壁面部材には、前記第１共通液室の壁面を形成する変形可能なダンパ領域及び前記第２共通液室の壁面を形成する変形可能なダンパ領域を有し、
前記流路板の前記壁面部材側には、前記第１共通液室の壁面を形成するダンパ領域に対応する部分にダンパ室を形成する凹部と、前記第２共通液室の壁面を形成するダンパ領域に対応する部分にダンパ室を形成する凹部が形成されている
ことを特徴とする液体吐出ヘッド。
【請求項２】
前記第２共通液室の壁面を形成するダンパ領域に対応するダンパ室は、前記第２液導入部の前記流路板の厚み方向で前記第１液導入部と異なる位置に形成された流路部分と前記第２共通液室の壁面を形成するダンパ領域との間に形成されている
ことを特徴とする請求項１に記載の液体吐出ヘッド。
【請求項３】
液滴を吐出する複数のノズルと、
前記ノズルに通じる複数の個別液室、前記個別液室に通じる複数の流体抵抗部、前記流体抵抗部に通じる液導入部を形成する流路板と、
前記個別液室に液体を供給する共通液室を形成する共通液室部材と、
前記流路板と前記共通液室部材との間に配置された壁面部材と、を備え、
前記複数の個別液室はノズル配列方向に沿って配列され、
ノズル配列方向に並ぶ３つの前記個別液室にそれぞれ液体を供給する第１共通液室、第２共通液室及び第３共通液室と、
前記第１共通液室から液体を導入し、前記流体抵抗部に通じる第１液導入部と、
前記第２共通液室から液体を導入し、前記流体抵抗部に通じる第２液導入部と、
前記第３共通液室から液体を導入し、前記流体抵抗部に通じる第３液導入部と、有し、
前記第１共通液室、前記第２共通液室及び前記第３共通液室とは、ノズル配列方向と直交する方向で、並んで配置され、
前記第２共通液室は、前記第１共通液室よりも前記個別液室の列から離れた位置に設けられ、
前記第３共通液室は、前記第２共通液室よりも前記個別液室の列から離れた位置に設けられ、
前記第２液導入部及び前記第３液導入部は、前記流路板の厚み方向で、前記第１液導入部と同じ位置に形成された流路部分と、前記第１液導入部と異なる位置に形成された流路部分を有し、
前記壁面部材には、前記第１共通液室の壁面を形成する変形可能なダンパ領域、前記第２共通液室の壁面を形成する変形可能なダンパ領域及び前記第３共通液室の壁面を形成する変形可能なダンパ領域を有し、
前記流路板の前記壁面部材側には、前記第１共通液室の壁面を形成するダンパ領域に対応する部分にダンパ室を形成する凹部と、前記第２共通液室の壁面を形成するダンパ領域に対応する部分にダンパ室を形成する凹部と、前記第３共通液室の壁面を形成するダンパ領域に対応する部分にダンパ室を形成する凹部とが形成されている
ことを特徴とする液体吐出ヘッド。
【請求項４】
前記第２共通液室の壁面を形成するダンパ領域に対応するダンパ室は、前記第２液導入部の前記流路板の厚み方向で前記第１液導入部と異なる位置に形成された流路部分と前記第２共通液室の壁面を形成するダンパ領域との間に形成され、
前記第３共通液室の壁面を形成するダンパ領域に対応するダンパ室は、前記第３液導入部の前記流路板の厚み方向で前記第１液導入部と異なる位置に形成された流路部分と前記第３共通液室の壁面を形成するダンパ領域との間に形成されている
ことを特徴とする請求項３に記載の液体吐出ヘッド。
【請求項５】
前記壁面部材は、前記個別液室の壁面を形成する振動板部材であることを特徴とする請求項１ないし４のいずれかに記載の液体吐出ヘッド。
【請求項６】
前記壁面部材は複層構造をなし、前記ダンパ領域は一部の層で形成されていることを特徴とする請求項１ないし５のいずれかに記載の液体吐出ヘッド。
【請求項７】
前記ダンパ領域は、ノズル配列方向で複数配置されていることを特徴とする請求項１ないし６のいずれかに記載の液体吐出ヘッド。
【請求項８】
前記ダンパ室は大気に通じていることを特徴とする請求項１ないし７のいずれかに記載の液体吐出ヘッド。
【請求項９】
請求項１ないし８のいずれかに記載の液体吐出ヘッドを備えていることを特徴とする画像形成装置。
【手続補正２】
【補正対象書類名】明細書
【補正対象項目名】００１０
【補正方法】変更
【補正の内容】
【００１０】
上記の課題を解決するため、本発明の請求項１に係る液体吐出ヘッドは、
液滴を吐出する複数のノズルと、
前記ノズルに通じる複数の個別液室、前記個別液室に通じる複数の流体抵抗部、前記流体抵抗部に通じる液導入部を形成する流路板と、
前記個別液室に液体を供給する共通液室を形成する共通液室部材と、
前記流路板と前記共通液室部材との間に配置された壁面部材と、を備え、
前記複数の個別液室はノズル配列方向に沿って配列され、
ノズル配列方向に並ぶ２つの前記個別液室にそれぞれ液体を供給する第１共通液室及び第２共通液室と、
前記第１共通液室から液体を導入し、前記流体抵抗部に通じる第１液導入部と、
前記第２共通液室から液体を導入し、前記流体抵抗部に通じる第２液導入部と、有し、
前記第１共通液室と前記第２共通液室とは、ノズル配列方向と直交する方向で、並んで配置され、
前記第２共通液室は、前記第１共通液室よりも前記個別液室の列から離れた位置に設けられ、
前記第２液導入部は、前記流路板の厚み方向で、前記第１液導入部と同じ位置に形成された流路部分と、前記第１液導入部と異なる位置に形成された流路部分を有し、
前記壁面部材には、前記第１共通液室の壁面を形成する変形可能なダンパ領域及び前記第２共通液室の壁面を形成する変形可能なダンパ領域を有し、
前記流路板の前記壁面部材側には、前記第１共通液室の壁面を形成するダンパ領域に対応する部分にダンパ室を形成する凹部と、前記第２共通液室の壁面を形成するダンパ領域に対応する部分にダンパ室を形成する凹部が形成されている
構成とした。
【手続補正３】
【補正対象書類名】明細書
【補正対象項目名】００３３
【補正方法】変更
【補正の内容】
【００３３】
そして、流路板２の振動板部材３側には、ダンパ領域５１Ａ、５１Ｂに対応してダンパ室５２Ａ、５２Ｂを形成する凹部をそれぞれ形成している。
【手続補正４】
【補正対象書類名】図面
【補正対象項目名】図２
【補正方法】変更
【補正の内容】
【図２】
2015054510.tif 000001
【手続補正５】
【補正対象書類名】図面
【補正対象項目名】図３
【補正方法】変更
【補正の内容】
【図３】
2015054510.tif 000002